(57)【特許請求の範囲】
【請求項１】
前身頃及び後身頃を形成する外装シートと、この外装シートの内面に固定された、吸収体を含む内装体とを備え、前記前身頃における外装シートの両側部と後身頃における外装シートの両側部とがそれぞれ接合されてサイドシール部が形成されることにより、ウエスト開口部及び左右一対のレッグ開口部が形成された、パンツタイプ使い捨ておむつにおいて、
前記外装シートは、少なくとも前記サイドシール部を有する縦方向範囲において複数枚のシート素材が張り合わされて形成されており、
前記サイドシール部は、その縦方向中間部に、接合されるシート素材の積層数が変化する積層数変化部を少なくとも一個所有しており、
前記サイドシール部は、少なくとも幅方向内側の側縁が波状をなすとともに、この波状の側縁における幅方向外側の頂点とそのウエスト側に隣接する幅方向内側の頂点との間に、前記積層数変化部が位置するように構成された、
ことを特徴とするパンツタイプ使い捨ておむつ。
【請求項２】
前記サイドシール部は、シート素材の接合部が縦方向に間欠的に多数形成されてなり、かつ、ウエスト開口部側の端部に位置する接合部及びレッグ開口部側の端部に位置する接合部は、幅方向外側から幅方向内側に向かうにつれて縦方向長さが拡大する形状をなし、これらの間の縦方向中間部に位置する接合部は、幅方向外側から幅方向内側に向かうにつれて縦方向長さが減少する形状をなしている、請求項１記載のパンツタイプ使い捨ておむつ。
【発明の詳細な説明】
【技術分野】
【０００１】
本発明は、パンツタイプ使い捨ておむつに関する。
【背景技術】
【０００２】
パンツタイプ使い捨ておむつは、前身頃及び後身頃を有する外装シートと、この外装シートの内面に固定された、吸収体を含む内装体とを備え、前記外装シートの前身頃と後身頃とが両側部において接合されてサイドシール部が形成されることにより、ウエスト開口部及び左右一対のレッグ開口部が形成されているものである。
パンツタイプ使い捨ておむつの使用者の多くは、使用後に両側部のサイドシール部を引き剥がし、おむつを廃棄する。そのため、サイドシール部は、着用時には充分な接合強度を奏し、かつ、使用後には容易に引き剥がされることが望まれる。
パンツタイプ使い捨ておむつにおけるサイドシール部は、溶着による小さな接合部が両側部の上下方向（縦方向）に沿って間欠的に多数設けられ、全体的には点線状に接合されているものが一般的である（例えば特許文献１〜３参照）。サイドシール部を点線状とすることで、より強く溶着しても、引き剥がし時には大きな力を要しない等の利点を有する。
【先行技術文献】
【特許文献】
【０００３】
【特許文献１】特開２００９−１３１５３９号公報
【特許文献２】特開２００９−１６０１２８号公報
【特許文献３】特開２００９−１６０１２９号公報
【発明の概要】
【発明が解決しようとする課題】
【０００４】
しかしながら、従来のパンツタイプ使い捨ておむつにおいては、サイドシール部をウエスト開口部又はレッグ開口部から引き剥がしていくと、途中でサイドシール部が剥がれずに前身頃又は後身頃の外装シートを引き裂いてしまい、サイドシール部を剥がし終えることができないことがあった。この場合、サイドシール部の引き剥がしを反対側からやり直す必要がある。
そこで本発明の主たる課題は、このようなサイドシール部の引き剥がしの失敗が発生し難いパンツタイプ使い捨ておむつを提供することにある。
【課題を解決するための手段】
【０００５】
上記課題について鋭意研究したところ、次のような知見を得た。すなわち、外装シートは、弾性伸縮部材を挟持する等のためにシート素材が複数枚張り合わされて形成されており、サイドシール部におけるシート素材の積層数は、ウエスト開口部から脚開口部までの途中で例えば８層から６層へ、さらに６層から４層へと変化するのが一般的である。このような形態では、サイドシール部をウエスト開口部又はレッグ開口部から引き剥がしていくと、シート素材の積層数が変化する部位で、引き剥がし力が縦方向に対して斜め内側に作用したときに、サイドシール部が剥がれずに前身頃又は後身頃の外装シートが引き裂さかれる事態が発生し易いのである。以下に述べる本発明は、このような知見に基づくものである。
なお、本発明において、「縦方向」とは、接合前のパンツ型使い捨ておむつの長手方向を指し、「横方向」とは、幅方向を指すものとする。
【０００６】
＜請求項１記載の発明＞
前身頃及び後身頃を形成する外装シートと、この外装シートの内面に固定された、吸収体を含む内装体とを備え、前記前身頃における外装シートの両側部と後身頃における外装シートの両側部とがそれぞれ接合されてサイドシール部が形成されることにより、ウエスト開口部及び左右一対のレッグ開口部が形成された、パンツタイプ使い捨ておむつにおいて、
前記外装シートは、少なくとも前記サイドシール部を有する縦方向範囲において複数枚のシート素材が張り合わされて形成されており、
前記サイドシール部は、その縦方向中間部に、接合されるシート素材の積層数が変化する積層数変化部を少なくとも一個所有しており、
前記サイドシール部は、少なくとも幅方向内側の側縁が波状をなすとともに、この波状の側縁における幅方向外側の頂点とそのウエスト側に隣接する幅方向内側の頂点との間に、前記積層数変化部が位置するように構成された、
ことを特徴とするパンツタイプ使い捨ておむつ。
【０００７】
（作用効果）
このように、サイドシール部における少なくとも幅方向内側の側縁が波状をなすとともに、この波状の側縁における幅方向外側の頂点とウエスト側に隣接する幅方向内側の頂点との間に、積層数変化部が位置するように構成されていると、サイドシール部をウエスト開口部又はレッグ開口部から引き剥がす過程で、シート素材の積層数が変化する部位に到達して、そこから更に引き剥がし力が作用するとき、その引き剥がし力の方向が縦方向に対して斜め外側に作用するため、サイドシール部が剥がれずに前身頃又は後身頃の外装シートを引き裂くといった事態が発生し難くなる。
【０００８】
また、サイドシール部においてシート素材の接合部は、シートの柔軟性が損なわれるが、サイドシール部の幅方向内側の側縁を波状とすることで、サイドシール部の肌に当たる部分が減少するため、直線状に比して着用感が向上する。
【０００９】
なお、サイドシール部の側縁が波状であるとは、シート素材の接合部が縦方向に連続していてその側縁が波状である形態の他、シート素材の接合部が縦方向に間欠的に多数設けられていて、縦方向に関する接合部側端の幅方向位置の変化が波状である形態も含まれる。
【００１０】
＜請求項２記載の発明＞
前記サイドシール部は、シート素材の接合部が縦方向に間欠的に多数形成されてなり、かつ、ウエスト開口部側の端部に位置する接合部及びレッグ開口部側の端部に位置する接合部は、幅方向外側から幅方向内側に向かうにつれて縦方向長さが拡大する形状をなし、これらの間の縦方向中間部に位置する接合部は、幅方向外側から幅方向内側に向かうにつれて縦方向長さが減少する形状をなしている、請求項１記載のパンツタイプ使い捨ておむつ。
【００１１】
（作用効果）
このように、サイドシール部の接合部の縦方向長さを変化させることにより、着用の際、サイドシール部におけるウエスト開口側の端部及びレッグ開口部側の端部を誤って剥がしてしまう事態が発生し難くなるとともに、おむつ交換時にサイドシール部を引き剥がし始めた後の縦方向中間部においては、より弱い力で引き剥がすことができ、さらに、縦方向中間部における接合部の縦方向長さが短く、肌に当たる部分が減少するため着用感も向上する。
【発明の効果】
【００１２】
以上のとおり、本発明によれば、サイドシール部を引き剥がす際に途中でサイドシール部が剥がれずに前身頃又は後身頃の外装シートを引き裂いてしまうといった事態が発生し難くなる、等の利点がもたらされる。
【図面の簡単な説明】
【００１３】
【図１】展開状態のパンツタイプ使い捨ておむつの平面図（内面側）である。
【図２】展開状態のパンツタイプ使い捨ておむつの平面図（外面側）である。
【図３】図１のＣ−Ｃ断面図である。
【図４】図１のＡ−Ａ断面図である。
【図５】図１のＢ−Ｂ断面図である。
【図６】図３の他の例を示す断面図である。
【図７】図３の他の例を示す断面図である。
【図８】サイドシール部の形状を示す要部拡大図である。（Ａ）サイドシール部接合後のパンツタイプ使い捨ておむつを腹側からみた図、（Ｂ）Ｄ−Ｄ断面図。
【図９】図８のＥ部分のサイドシール部接合パターンを示す拡大図である。
【図１０】図８（Ａ）の他の例を示す要部拡大図である。
【発明を実施するための形態】
【００１４】
以下、本発明の一実施形態について、添付図面を参照しつつ詳説する。
図１〜図５は実施形態のパンツタイプ使い捨ておむつ１を示している。このパンツタイプ使い捨ておむつ１（以下、単におむつともいう。）は、前身頃Ｆ及び後身頃Ｂを形成する外装シート２０と、この外装シート２０の内面に固定され一体化された内装体１０とを有しており、内装体１０は液透過性表面シート１１と液不透過性裏面側シート１２との間に吸収体１３が介在されてなるものである。製造に際しては、外装シート２０の内面（上面）に対して内装体１０の裏面がホットメルト接着剤Ｇなどの接合手段によって固定された後に、内装体１０および外装シート２０が前身頃Ｆ及び後身頃Ｂの境界である縦方向（前後方向）中央で折り畳まれ、その両側部が相互に熱溶着またはホットメルト接着剤などによって接合され、サイドシール部２１，２２が形成されることによって、ウエスト開口部及び左右一対のレッグ開口部が形成されたパンツタイプ使い捨ておむつとなる。
【００１５】
（外装シートの構造例）
外装シート２０は、図３〜図５にも示されるように、それぞれ上層不織布２０Ａ及び下層不織布２０Ｂ（つまり、この形態では下層不織布が最外側不織布となる）からなる２層構造の不織布シートとされ、上層不織布２０Ａと下層不織布２０Ｂとの間、及び下層不織布２０Ｂをウエスト開口縁で内面側に折り返してなる折り返し部分２０Ｃの不織布間に各種弾性部材が伸長状態で挟持固定され、伸縮性が付与されている。平面形状は、中間両側部に夫々脚部開口を形成するために形成された凹状の脚回りライン２９により、全体として擬似砂時計形状をなしている。弾性部材としては、合成ゴムや天然ゴムを糸状、紐状、網状、シート状等の任意の形態に加工したものを用いることができる。
【００１６】
特に、図示形態の外装シート２０においては、図１〜図３に示すように、前身頃Ｆ及び後身頃Ｂのそれぞれにおいて、ウエスト開口部近傍２３に配置されたウエスト部弾性部材２４，２４…と、ウエスト部弾性部材よりも股間側に配置された、縦方向に間隔をおいて幅方向に沿って配置された複数の腰回り弾性部材２５，２５…と、腰回り弾性部材群２５，２５…とは別に、前身頃Ｆと後身頃Ｂとを接合する両サイドシール部２１，２２から幅方向中央に向かうにつれて反対の身頃側へ向かうように湾曲しつつ、内装体１０の両側部と重なる部位まで（又は両側部の近傍まで等、必ずしも重ならなくても良い）延在するとともに、互いに交差することなく間隔をおいて配置された複数本の湾曲弾性部材２６…，２８…とを備えている。なお、本外装シート２０では、湾曲弾性部材２６…，２８…により脚周りに対するフィット性が確保されるため、脚回りライン２９に沿って前身頃Ｆから後身頃Ｂまで実質的に連続する脚回り弾性部材は設けられていないが、湾曲弾性部材２６…，２８…とともに又はこれに代えて設けることも可能である。
【００１７】
ウエスト部弾性部材２４，２４…は、サイドシール部２１，２２を有する縦方向範囲のうち、ウエスト開口縁近傍に縦方向に間隔をおいて配設された複数条の糸ゴム状弾性部材であり、身体のウエスト部回りを締め付けるように伸縮力を与えることによりおむつのウエスト開口縁を身体に装着するためのものである。このウエスト部弾性部材２４は、図示例では糸ゴムを用いたが、例えばテープ状の伸縮部材を用いてもよい。また、図示形態のウエスト部弾性部材２４，２４…は、ウエスト部における下層不織布２０Ｂの折り返し部分２０Ｃの不織布間に挟持されているが、上層不織布２０Ａと下層不織布２０Ｂとの間に挟持しても良い。
【００１８】
腰回り弾性部材２５，２５…は、サイドシール部２１，２２と対応する縦方向範囲、及びそれよりも股間側の範囲のうち、概ね上部から下部までの範囲に亘り、縦方向に間隔をおいて幅方向に沿って配設された糸ゴム等の細長状弾性部材であり、前身頃Ｆ及び後身頃Ｂの腰回り部分に夫々幅方向の伸縮力を与え、おむつを身体に密着させるためのものである。なお、ウエスト部弾性部材２４，２４…と腰回り弾性部材２５，２５…との境界は必ずしも明確でなくてよい。例えば、前身頃Ｆ及び後身頃Ｂに縦方向に間隔をおいて幅方向に配置された弾性部材の内、数は特定できなくても、上部側の何本かがウエスト部弾性部材として機能し、残りの弾性部材が腰回り弾性部材として機能していればよい。
【００１９】
後身頃Ｂにおいて、腰回り弾性部材２５，２５…とは別に配設された背側湾曲弾性部材２６，２６…は、その長手方向中間に縦方向との鋭角側交差角θ（以下、縦方向交差角ともいう）が最小となる最小点を有するとともに、この最小点から幅方向両側に向かうにつれて縦方向交差角θが０度〜９０度の範囲内で増加する所定の曲線であって、且つおむつを展開した状態で内装体１０の両側部と重なる領域内に縦方向交差角θが６０°以下となる交差部分７０を有する所定の曲線に沿って配置されているものである。背側湾曲弾性部材２６は、一本であっても良いが複数本であるのが好ましく、図示例では５本の糸ゴム状弾性部材であり、これら背側湾曲弾性部材２６，２６…は互いに交差することなく、間隔をおいて配置されている。この背側湾曲弾性部材群２６，２６…は、２，３本程度の弾性伸縮部材を間隔を密にして実質的に一束として配置されるのではなく、所定の伸縮ゾーンを形成するように所定の間隔を空けて複数本以上配置される。
【００２０】
外装シート２０の前身頃Ｆにおいて、腰回り弾性部材群２５，２５…とは別に配設された腹側湾曲弾性部材２８，２８…も、その長手方向中間に縦方向との縦方向交差角θが最小となる最小点を有するとともに、この最小点から幅方向両側に向かうにつれて縦方向交差角θが０度〜９０度の範囲内で増加する所定の曲線であって、且つおむつを展開した状態で内装体１０の両側部と重なる領域内に縦方向交差角θが６０°以下となる交差部分７０を有する所定の曲線に沿って配置されている。腹側湾曲弾性部材２８，２８…は、一本であっても良いが複数本であるのが好ましく、図示例では５本の糸状弾性部材であり、これら腹側湾曲弾性部材２８，２８…は、互いに交差することなく、間隔をおいて配置されている。この腹側湾曲弾性部材群２８，２８…も、２、３本程度の弾性伸縮部材を間隔を密にして実質的に一束として配置されるのではなく、所定の伸縮ゾーンを形成するように所定の間隔を空けて複数本以上配置される。
【００２１】
湾曲弾性部材２６…，２８…は図示例のようにその全体が湾曲していなくても良く、部分的に直線状の部分を有していても良い。また、湾曲弾性部材２６…，２８…を、前身頃Ｆ及び後身頃Ｂの両方に設ける場合、前身頃Ｆ側に配置された湾曲弾性部材の群の一部又は全部と、後身頃Ｂ側に配置された湾曲弾性部材２６の群の一部又は全部とが股間部又はその前側若しくは後側近傍で交差する形態（図示せず）も採用できるが、図示例のように、前身頃Ｆ側に配置された湾曲弾性部材２８の群と、後身頃Ｂ側に配置された湾曲弾性部材２６の群とは互いに交差することなく前後方向中間部、特に前身頃Ｆに若干偏った位置で縦方向に離間している形態が好適であり、その縦方向離間範囲９０における最小縦方向離間距離は１０〜２０ｍｍ程度とし、この部分に後述する広幅の固定領域を設けるのが好ましい。
【００２２】
他方、図示例では、前身頃Ｆ及び後身頃Ｂに配置された腰回り弾性部材２５，２５…及び湾曲弾性部材２６…，２８…は、内装体１０を横切る部分には設けられておらず、当該部分が非伸縮領域とされている。このように、弾性部材を有しない又は設けられていない形態には、弾性部材が存在しない形態の他、弾性部材は存在するが収縮力が作用しない程度に細かく切断させている形態も含まれる。図８は、後者の例を示しており、腰回り弾性部材２５，２５…及び湾曲弾性部材２６…，２８…を、一方側の側部接合縁２２から内装体１０を横切って他方（反対）側の側部接合縁２２まで連続的に設けた後に、所定の切断パターンＣＰにより内装体１０を横切る部分の一部又は全部を切断し、不連続とするものである。弾性部材２５，２６，２８を内装体１０と重なる部分で不連続とすることにより、内装体１０（特に吸収体１３）の幅方向の収縮を防止することができる。もちろん、腰回り弾性部材２５，２５…及び湾曲弾性部材２６…，２８…を、内装体１０を横切って連続的に配置することもできる。
【００２３】
上述した外装シート２０は、例えば特開平４−２８３６３号公報や、特開平１１−３３２９１３号公報記載の技術により製造することができる。また、湾曲弾性部材２６…，２８…を内装体１０上で切断し不連続化するには、特開２００２−３５０２９号公報、特開２００２−１７８４２８号公報及び特開２００２−２７３８０８号公報に記載される切断方法が好適に採用される。
【００２４】
（内装体の構造例）
内装体１０は、図３〜図５に示すように、不織布などからなる液透過性表面シート１１と、ポリエチレン等からなる液不透過性裏面側シート１２との間に、吸収体１３を介在させた構造を有しており、表面シート１１を透過した排泄液を吸収保持するものである。
【００２５】
吸収体１３の表面側（肌当接面側）を覆う液透過性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。液透過性表面シート１１に多数の透孔を形成した場合には、尿などが速やかに吸収されるようになり、ドライタッチ性に優れたものとなる。液透過性表面シート１１は、吸収体１３の側縁部を巻き込んで吸収体１３の裏面側まで延在している。
【００２６】
吸収体１３の裏面側（非肌当接面側）を覆う液不透過性裏面側シート１２は、ポリエチレンまたはポリプロピレンなどの液不透過性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。
【００２７】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができ、図示例では平面形状を略方形状として成形されたものが使用され、その幅寸法は股間部への当たりによって着用者にゴワ付き感を与えない寸法幅となっている。この吸収体１３は、形状及びポリマー保持等のため、必要に応じてクレープ紙等の、液透過性及び液保持性を有する包装シート１４によって包装することができる。吸収体１３の形状は、図示形態のように長方形状とする他、背側及び腹側に対して股間部の幅が狭い砂時計形状（括れ形状）とすることもできる。
【００２８】
なお、上述の屈曲フィット部４０は、吸収体１３における臀裂対向部に縦方向に沿う溝４１やスリットを設ける等によってその形成を補助することもでき、その場合、適切な位置を折り目として屈曲フィット部４０が形成され、またその形状も維持され易くなる。
【００２９】
内装体１０の両側部には脚周りにフィットする立体ギャザーＢＳが形成されているのが好ましい。この立体ギャザーＢＳはギャザー不織布１５により形成される、ギャザー不織布としては、図５及び図６に示されるように、折返しによって二重シートとした不織布が好適に用いられ、液透過性表面シート１１によって巻き込まれた吸収体１３の側縁部をさらにその上側から巻き込んで吸収体１３の裏面側まで延在して接着されている。より具体的には、ギャザー不織布１５は、おむつ１の長手方向中間部では、立体ギャザーＢＳ形成部分を残し、幅方向中間部から吸収体１３の裏面側に亘る範囲がホットメルト接着剤等によって接着され、また長手方向前後端部では、幅方向中間部から一方側端縁までの区間が吸収体１３の裏面側に亘る範囲で接着されるとともに、立体ギャザーＢＳを形成する部分を吸収体１３の上面部にて折り畳むようにしながらホットメルト接着剤等により接着している。
【００３０】
二重シート不織布によって形成されたギャザー不織布１５の内部には、起立先端側部分に複数本の糸状弾性伸縮部材１６、１６…が配設されている。糸状弾性伸縮部材１６、１６…は、製品状態において図５に二点鎖線で示すように、弾性伸縮力により吸収体側縁部より突出する不織布部分を起立させて立体ギャザーＢＳを形成するためのものである。
【００３１】
液不透過性裏面側シート１２は、二重シート状のギャザー不織布１５の内部まで進入し、図５に示されるように、立体ギャザーＢＳの下端側において防漏壁を構成するようになっている。この液不透過性裏面側シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００３２】
糸状弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、テンションは１５０〜３５０％、間隔は７．０ｍｍ以下として配設するのがよい。なお、糸状弾性伸縮部材に代えて、ある程度の幅を有するテープ状弾性伸縮部材を用いるようにしてもよい。
【００３３】
前述のギャザー不織布１５を構成する素材繊維も液透過性表面シート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００３４】
（前後押えシート）
図１及び図３にも示されるように、外装シート２０の内面上に取り付けられた内装体１０の前後端部をカバーし、且つ内装体１０の前後縁からの漏れを防ぐために、前後押えシート５０，６０を設けることが好ましい。図示形態について更に詳細に説明すると、前押えシート５０は、前身頃Ｆ内面のうちウエスト側端部の折り返し部分２０Ｃの内面から内装体１０の前端部と重なる位置まで幅方向全体にわたり延在しており、後押えシート６０は、後身頃Ｂ内面のうちウエスト側端部の折り返し部分２０Ｃの内面から内装体１０の後端部と重なる位置まで幅方向全体にわたり延在している。前後押えシート５０，６０の股下側縁部に幅方向の全体にわたり若干の非接着部分を設けると、接着剤がはみ出ないだけでなく、この部分を表面シートから若干浮かせて防漏壁として機能させることができる。
【００３５】
図１及び３に示す形態のように、前後押えシート５０，６０を別体として取り付けると、素材選択の自由度が高くなる利点があるものの、資材や製造工程が増加する等のデメリットもある。そのため、図６に示すように、外装シート２０をおむつ１内面に折り返してなる折り返し部分２０Ｃを、吸収パッド２００と重なる部分まで延在させて、前述の押えシート５０，６０と同等の部分を形成することもできる。
【００３６】
また、押さえシート５０，６０は、図７に示すように、ウエスト側端部の折返し部分２０Ｃの外側に、つまり、上層不織布２０Ａと折返し部分２０Ｃの間に配してもよい。
【００３７】
（外装シートを構成する不織布ついて）
外装シート２０を構成する不織布のうち、少なくとも最も外側に位置する不織布２０Ｂとして、捻れ度が３．８ｇｆ・ｃｍ／ｃｍ以下のものが好適である。ここに、「捻れ度」とは、例えばKES-YN1(カトーテック(株)製)を用いて測定することができるものであり、値が小さいほど捻れに対してしなやかであることを意味する。また、外装シートが不織布一枚からなる場合、それ自体が最も外側に位置する不織布を意味する。外装シート２０を構成する不織布全て、つまり最も外側に位置しない他の不織布２０Ａ、５０，６０についても最外側不織布２０Ｂと同様の不織布を採用するのが望ましい（以下同じ。）。このように、捻れ度が十分に低い不織布を用いると、おむつ全体としてのしなやかさが顕著に増加し、その結果、ゴワゴワした装着感や、肌との擦れによりかゆみやかぶれ等の肌トラブルが軽減し、脱ぎ着し易くなる等の利点がもたらされる。捻れ度が十分に低くないとしなやかさの改善効果は発現しない。このような捻れ度は、例えば原料繊維の種類の選択、繊度を細くする、繊維長を短くする、目付けや厚みを減らす等により達成することができる。
【００３８】
また、最外側不織布２０Ｂにおける平均表面摩擦係数と平均偏差との比ＭＩＵ／ＭＭＤが２０以上であるのが好ましく、特に２５以上であるのがより好ましい。ＭＩＵ／ＭＭＤ比を十分に大きくすることにより、外装シート表面の触感が良好となることにより、しなやかさが補われ、例えば肌との擦れによりかゆみやかぶれ等の肌トラブルがより一層軽減されるようになる。このようなＭＩＵ／ＭＭＤ比は、例えば、繊度を細くする、表面加工を施す等により達成することができる。
【００３９】
また、外装シート２０としての基本機能（隠蔽機能、強度等）を損ねないよう、最外側不織布２０Ｂは、目付けが１０〜３０ｇ／ｍ2であり、且つ圧力０．５ｇ／ｃｍ2のときの厚みＴ０が０．１〜１．０ｍｍであるのが好ましい。より好ましい目付けは１３〜２２ｇ／ｍ2、厚みＴ０は０．１〜０．５ｍｍである。
【００４０】
さらにしなやかさを補うため、最外側不織布２０ＢのＪＩＳ−Ｌ−１０９６（４５度カンチレバー法）による剛軟度は４５ｍｍ以下であるのが好ましく、３５ｍｍ以下であるのがより好ましい。これにより、特にゴワゴワ感の軽減及び脱ぎ着のし易さがより一層好ましいものとなる。このような剛軟度は、例えば、原料繊維の種類の選択や割合の変更、エンボス圧を下げる、目付や厚みを減らす等により達成することができる。
【００４１】
しなやかさを向上させると強度が低下し易いため、最外側不織布２０Ｂは、ＪＩＳ−Ｐ−８１１３に規定される引張強度が幅方向において４０〜１２０ｋｇｆ／ｍ、特に６０〜１００ｋｇｆ／ｍ、前後方向において１０〜８０ｋｇｆ／ｍ、特に２５〜６０ｋｇｆ／ｍであり、ＪＩＳ−Ｐ−８１１６に規定される引裂強度が前後方向において４〜３０ｋｇｆ／ｍ、特に８〜２５ｋｇｆ／ｍであるのが好ましい。このような引張強度及び引裂強度は、例えば、繊維同士の絡まり度合いを増す等により達成することができる。
【００４２】
最外側不織布２０Ｂの圧縮特性もしなやかさと密接に関連するものである。よって、最外側不織布２０Ｂの圧縮特性は、圧縮硬さＬＣが０．３〜１．０、特に０．５〜０．９であり、且つ圧縮仕事量ＷＣが０．０１〜０．１０、特に０．０１〜０．０７であり、圧縮レジリエンスＲＣが２０〜９０％、特に２５〜７０％であるのが好ましい。このような圧縮硬さＬＣ、圧縮仕事量ＷＣ、圧縮レジリエンスＲＣは、例えば、原料繊維の種類の選択や割合の変更、目付や厚みを減らす等により達成することができる。
【００４３】
最外側不織布２０Ｂは、原料繊維の物質、構造、製法、繊度、繊維長（短繊維、フィラメント）等については、特に限定されない。例えば、原料繊維としては、ポリエチレンやポリプロピレン等のオレフィン系、ポリエステル系、ポリアミド系等の合成繊維、レーヨンやキュプラ等の再生繊維、綿等の天然繊維等から適宜選択でき、また繊維構造としては並列型、芯鞘型等の２層型複合繊維、多層型複合繊維、非複合繊維、混合繊維、分割繊維等から適宜選択することができる。さらに、製法としては、スパンレース法、スパンボンド法、サーマルボンド法、メルトブローン法、ニードルパンチ法、エアスルー法、ポイントボンド法等、公知の方法から適宜選択して用いることができる。繊維の繊度や繊維長についても公知の仕様を採用することができるが、繊度は０．７〜３ｄｔｅｘ、特に１〜２．５ｄｔｅｘが好ましい。
【００４４】
（サイドシール部） 
おむつ側端部のサイドシール部２１，２２は、熱溶着、ホットメルト接着剤、超音波接着等により形成される。サイドシール部の詳細な形態を図８，９に示す。
サイドシール部２１，２２は、おむつの幅方向内側及び外側に頂点を有する波状に形成される。波型の波長３１は、４０〜１５０ｍｍ、特に５０〜１００ｍｍとし、波型の波高３２は、２．０〜１２ｍｍ、特に４．０〜１０ｍｍとすることが好ましい。また、サイドシール部自体の幅３３は、３．０〜１５ｍｍ、特に５．０〜１２ｍｍとすることが好ましい。
【００４５】
図８（Ａ）及び図８（Ｂ）は、縦方向に対応している。図８（Ｂ）のａ，ｂ，ｃ，ｄの部分におけるシート素材の積層数は、それぞれ６枚、８枚、６枚、４枚と切り替わる。サイドシール部２２は、その波型の幅方向外側の頂点とその隣接するウエスト側の幅方向内側の頂点の間に、上記のシート積層数が切り替わる部分（積層数変化部）が位置するように配される。さらに、シートの予想外の破れを防止するため、積層変化部及びその近傍には、弾性部材を配しない構成とすることが好ましい。なお、シート積層数及び積層数変化部の数は、上記の数値に限定されるものでなく、おむつの機能にあわせて適宜変更可能である。
【００４６】
図９にサイドシール部の拡大図を示す。サイドシール部の接合部３０のパターンは特に限定されないが、縦方向に連続的であるより、図９（Ａ）（Ｂ）に示すように断続的とすると、接合を強くしつつ、引き剥がしやすさも保持することができるため好ましい。また、外装シート、押さえ部を構成する不織布は、通常は接合部分においてその柔軟性が損なわれるが、接合部分を断続的とすることで、接合部分の着用感への影響を小さくすることができる。図９（Ａ）に示す接合パターンは、幅方向に平行な断続部分を有するが、幅方向に対して斜めに断続部分を配するパターンとしてもよい（図示せず）。さらに、接合部３０は、図９（Ｂ）に示すように、幅方向内側が小さく、外側が大きい形状とすることが好ましい。このような形状とすることで、より肌に触れやすい幅方向内側の接合部分が小さくなり、着用感の悪化をより減じることが可能となる。
【００４７】
接合部３０は、縦方向に連続する形状としてもよい。この場合、図９（Ｃ）に示すように、サイドシール部２２全体を波型とし、サイドシール部２２内部に接合部３０を微小な波型として配する構成とすると、サイドシール部２２の引き剥がしやすさが損なわれないため、好ましい。
【００４８】
図１０にサイドシール部２１，２２の他の例を示す。サイドシール部２１，２２は、少なくとも幅方向内側が波状であれば、本発明の目的を達する。そのため、幅方向外側を図示例のように縦方向に直線状にすることができる。この場合、製造工程において、サイドシール部付与時におむつの幅方向の微細な位置合わせを要さず、サイドシール部付与後に側端部を切断することによって、当該形状とすることができる。
【００４９】
なお、サイドシール部２１の形状については、すべてサイドシール部２２と同一、もしくはおむつの幅方向中央線に対して略線対称の形状とすることが好ましい。  
【産業上の利用可能性】
【００５０】
本発明は、上記例のようなパンツタイプ使い捨ておむつにおいて利用できるものである。
【符号の説明】
【００５１】
１…パンツタイプ使い捨ておむつ、１０…内装体、１１…液透過性表面シート、１２…液不透過性裏面側シート、１３…吸収体、１４…包装シート、１５…ギャザー不織布、１６…糸状弾性伸縮部材、２０…外装シート、２１，２２…サイドシール部、２４…ウエスト部弾性部材、２５…腰回り弾性部材、２６…背側湾曲弾性部材、２８…腹側湾曲弾性部材、２９…脚回りライン、２０Ｃ…外装シート折り返し部、３０…接合部、Ｆ…前身頃、Ｂ…後身頃。
【図１】
0005566833.tif 000002
【図２】
0005566833.tif 000003
【図３】
0005566833.tif 000004
【図４】
0005566833.tif 000005
【図５】
0005566833.tif 000006
【図６】
0005566833.tif 000007
【図７】
0005566833.tif 000008
【図８】
0005566833.tif 000009
【図９】
0005566833.tif 000010
【図１０】
0005566833.tif 000011